(57)【特許請求の範囲】
【請求項１】
主電源から複数の電源を生成し、該主電源がオフにされたときの各該複数の電源の電圧の降下タイミングを異ならせる電源生成手段と、
前記複数の電源のうち、前記主電源がオフにされたときに、前記降下タイミングが最も早い第１電源より、前記降下タイミングが遅い第２電源が供給されている第１制御部と、
前記第１制御部が行なう制御以外の制御を行い、前記第１電源が供給されており、自己の正常または異常を示す状態情報を前記第１制御部へ送信可能である送信手段を有する第２制御部と、を有する電子機器であって、
前記第１制御部は、
前記電子機器内のメイン制御を行なうものであり、
前記主電源がオフにされたときに、前記第１電源の電圧の降下を検知して、前記第２電源が供給され続けている間に、該第１電源の再供給を検知すると、前記主電源は瞬断されたと判断する検知手段を有し、
前記検知手段は、前記第１電源の供給、または、前記第１電源の電圧の降下を検知すると共に、前記状態情報を受信することで前記第２制御部の正常または異常を検知する
ことを特徴とする電子機器。
【請求項２】
前記検知手段が、前記主電源は前記瞬断されたと判断すると、前記電子機器の立ち上げ処理を実行する第１立ち上げ手段を有することを特徴とする請求項１記載の電子機器。
【請求項３】
前記検知手段が、前記主電源は前記瞬断されたと判断すると、前記瞬断される前の処理を再実行する再実行手段を有することを特徴とする請求項１または２記載の電子機器。
【請求項４】
前記検知手段が、前記第１電源の電圧の降下を検知した時から第１所定時間経過後に、前記電子機器の立ち下げ処理を行う立ち下げ処理を実行する立ち下げ手段を有することを特徴とする請求項１〜３何れか１項に記載の電子機器。
【請求項５】
前記検知手段は、前記主電源がオフにされたときに、前記第１電源の電圧の降下を検知して、前記第２電源の供給を検知した時から、第２所定時間経過した後に、前記第１電源が供給されないことを検知すると、前記電源生成手段が異常であると判断することを特徴とする請求項１〜４何れか１項に記載の電子機器。
【請求項６】
前記検知手段は、前記第１電源の電圧の降下を検知し、前記第２制御部への前記第１電源の供給を検知し、前記第２制御部の異常を検知した後に、
前記第２制御部への前記第１電源の再供給を検知し、前記第２制御部の正常を検知すると、前記主電源は瞬断されたと判断することを特徴とする請求項１記載の電子機器。
【請求項７】
前記検知手段が、前記主電源が瞬断されたと判断すると、前記第２制御部の立ち上げ処理を行うことを実行する第２立ち上げ手段を有することを特徴とする請求項６記載の電子機器。
【請求項８】
前記検知手段は、前記第１電源の供給を検知している間に、前記第２制御部の異常を検知すると、前記第２制御部は異常であると判断する請求項１〜７何れか１項に記載の電子機器。
【請求項９】
主電源から複数の電源を生成し、該主電源がオフにされたときの各該複数の電源の電圧の降下タイミングを異ならせる電源生成手段と、
前記複数の電源のうち、前記主電源がオフにされたときに、前記降下タイミングが最も早い第１電源より、前記降下タイミングが遅い第２電源が供給されている第１制御部と、
前記第１制御部が行なう制御以外の制御を行い、前記第１電源が供給されており、自己の正常または異常を示す状態情報を前記第１制御部へ送信可能である送信手段を有する第２制御部と、を有する電子機器を制御する制御方法であって、
前記第１制御部は、
前記電子機器内のメイン制御を行なうものであり、
前記主電源がオフにされたときに、前記第１電源の電圧の降下を検知して、前記第２電源が供給され続けている間に、該第１電源の再供給を検知すると、前記主電源は瞬断されたと判断する検知工程を実行し、
前記検知工程は、前記第１電源の供給、または、前記第１電源の電圧の降下を検知すると共に、前記状態情報を受信することで前記第２制御部の正常または異常を検知する
ことを特徴とする制御方法。
【発明の詳細な説明】
【技術分野】
【０００１】
本発明は、電子機器、制御方法に関する。
【背景技術】
【０００２】
従来の画像形成装置では、主電源（商用電源）が入力され、主電源から複数の電源（この例では２４Ｖ、５Ｖ、３．３Ｖなど）を生成し、画像形成装置内部で使用している。ユーザがスイッチをオフにすることで主電源をオフにすると、これらの複数の電源の供給も遮断される。このような場合に備えて、例えばＦＡＸデータなど重要なデータを保持している画像形成装置などでは、主電源遮断の際に、該複数の電源の電圧降下タイミングに時間差を持たせることがある。
【０００３】
例えば、主電源をオフにした場合に、５Ｖ電源の電圧が降下するタイミング以後に、３．３Ｖ電源の電圧が降下するようにして、メイン制御を実行するＣＰＵが３．３Ｖで動作している構成を有する画像形成装置がある。このような画像形成装置では、ＣＰＵは、５Ｖ電源の電圧の降下により、主電源がオフされたことを検知し、３．３Ｖ電源の電圧が降下するまでの時間を利用して、保持しているＦＡＸデータをメモリに退避させている（例えば、特許文献１参照）。
【発明の概要】
【発明が解決しようとする課題】
【０００４】
しかし、ユーザの操作などにより、主電源がオンの状態で、短時間（例えば、約０．１秒）でオフ→オンされる（以下では、「主電源が瞬断される」という。）場合がある。画像形成装置の主電源スイッチとして、ロッカスイッチが用いられている場合が多く、ユーザの操作により、しばしば、主電源が瞬断される。また、瞬時的な停電が生じても、主電源が瞬断される。
【０００５】
主電源が瞬断されると、５Ｖ電源の電圧が瞬時的に降下するが、ＣＰＵを動作させる３．３Ｖ電源の電圧は降下せずに、安定して供給され続ける。ＣＰＵは、５Ｖ電源の電圧が降下されたときに、商用電源が遮断された、と判断し、ＦＡＸデータなどをメモリに退避させて、全ての電源の供給が遮断されるまで待機する。しかし、実際には、３．３Ｖ電源の電圧はＣＰＵへ供給され続け、ＣＰＵは全ての電源の供給が遮断されるまで待機し続けることから、画像形成装置は、動作を停止してしまうという問題がある。
【０００６】
本発明では、このような問題を鑑みて、主電源が瞬断されたか否かを適切に判断する電子機器を提供する。
【課題を解決するための手段】
【０００７】
上記目的を達成するため、主電源から複数の電源を生成し、該主電源がオフにされたときの各該複数の電源の電圧の降下タイミングを異ならせる電源生成手段と、
前記複数の電源のうち、前記主電源がオフにされたときに、前記降下タイミングが最も早い第１電源より、前記降下タイミングが遅い第２電源が供給されている第１制御部と、
前記第１制御部が行なう制御以外の制御を行い、前記第１電源が供給されており、自己の正常または異常を示す状態情報を前記第１制御部へ送信可能である送信手段を有する第２制御部と、を有する電子機器であって、
前記第１制御部は、
前記電子機器内のメイン制御を行なうものであり、
前記主電源がオフにされたときに、前記第１電源の電圧の降下を検知して、前記第２電源が供給され続けている間に、該第１電源の再供給を検知すると、前記主電源は瞬断されたと判断する検知手段を有し、
前記検知手段は、前記第１電源の供給、または、前記第１電源の電圧の降下を検知すると共に、前記状態情報を受信することで前記第２制御部の正常または異常を検知する
ことを特徴とする電子機器を提供する。
【発明の効果】
【０００８】
本発明の電子機器であれば、主電源が瞬断されたか否かを適切に判断できる。
【図面の簡単な説明】
【０００９】
【図１】本実施例の画像形成装置の機能構成例を示す図（その１）。
【図２】主電源がオフにされたときの第１電源、第２電源の供給、降下を示した図。
【図３】主電源が瞬断されたときの第１電源、第２電源の供給、降下を示した図。
【図４】本実施例の画像形成装置の主な処理フローを示した図（その１）。
【図５】本実施例の画像形成装置の機能構成例を示す図（その２）。
【図６】本実施例の画像形成装置の主な処理フローを示した図（その２）。
【発明を実施するための形態】
【００１０】
本実施例の電子機器とは、例えば、画像形成装置であるが、供給される電源により動作するものであれば、他の電子機器でも構わない。以下では、電子機器が、画像形成装置である場合について説明する。
［実施形態１］
まず、実施形態１の画像形成装置について説明する。図１に、実施形態１の画像形成装置１５０の機能構成例について説明する。画像形成装置１５０は、主電源１に接続されており、スイッチ手段２がユーザにオンされることにより、主電源は画像形成装置１５０内に供給され、スイッチ手段２がユーザにオフされることにより、主電源は画像形成装置１５０内への供給が遮断される。以下では、主電源が画像形成装置１５０内に供給されることを主電源がオンされるといい、主電源が画像形成装置１５０内に供給されない（供給が遮断される）ことを主電源がオフされる、という。
【００１１】
ユーザによりスイッチ手段２がオンにされると、交流の主電源は、変換分岐手段４に供給される。変換分岐手段４は、供給された交流の主電源を、直流に変換し、さらに、少なくとも２以上の電源に分岐させる。この例では、変換分岐手段４は、主電源を第１電源と第２電源とに分岐させるが、第１電源、第２電源以外の電源（つまり、第３電源、第４電源・・・）にも分岐させても良い。第１電源は、第１制御部２０以外のデバイス（図１では、他のデバイス６０と記載）に供給される。他のデバイス６０とは、第１制御部２０以外の、電源で作動するものである。他のデバイス６０とは、例えば、記録ヘッドやスキャナ（共に、図示せず）などである。
【００１２】
また、第２電源は、遅延手段６（遅延回路）に供給される。遅延手段６は、供給された電源を遅延させて出力する。従って、遅延手段６に供給された第２電源は、第１電源より遅延されてから出力される。
【００１３】
また、検知手段２４は、他のデバイス６０に供給されている第１電源の電圧が降下したか、または、第１電源が他のデバイス６０に供給されているか（降下していないか）、を検知することが出来る。同様に、検知手段２４は、第１ＣＰＵ２２に供給されている第２電源の電圧が降下したか、または、第２電源が第１ＣＰＵ２２に供給されているか（降下していないか）、を検知することが出来る。第１電源の検知について具体的に説明すると、検知手段２４は、第１電源系統に流れている第１電源の電圧値を測定する。そして、第１電源の電圧値が、予め定められた値（以下、動作供給値という。）である場合、または、第１電源の電圧値が予め定められた閾値以上である場合、第１電源が他のデバイス６０に供給されていると判定する。また、第１電源の電圧値が動作供給値でない場合、または、第１電源の電圧値が閾値未満であれば、第１電源の電圧が降下していると判定する。また、同様の手法で、検知手段２４は、第２電源の電圧の降下・供給についても検知することができる。
【００１４】
また、動作供給値とは、主電源がオンにされている場合に、他のデバイス６０や第１制御部２０などが適切に動作するために供給される電圧値である。また、第１電源についての動作供給値（つまり、他のデバイス６０についての動作供給値であり、第１動作供給値という。）は、３．３Ｖとし、第２電源についての動作供給値（つまり、第１制御部２０についての動作供給値であり、第２動作供給値という。）は５Ｖとする。また、閾値は、該動作供給値より若干小さな値とする。
【００１５】
また、遅延手段６から出力された第２電源は第１ＣＰＵ２２に供給される。第１ＣＰＵ２２は供給された第２電源により作動する。
【００１６】
また、本実施例の説明では、主電源が、（ｉ）完全にオンにされる（ｉｉ）完全にオフにされる（ｉｉｉ）瞬断されるという状態があるとする。ここで、主電源の瞬断とは、主電源が瞬時的にオフにされることである。つまり主電源の瞬断は、スイッチ手段２がオンの状態で、短時間（例えば、０．１秒）でオフ→オンにされること（以下、「スイッチ手段２の瞬断」という。）で生じる現象である。
【００１７】
図２に、主電源がオン、オフにされたときの第１電源、第２電源の第１制御部２０への供給についての動作について示す。図２の縦軸は、供給されている電圧値であり、横軸は、時間を示す。図２に示すように、主電源がオンにされている場合には、第１電源系統により、第１動作供給値の第１電源が供給されており、第２電源系統により、第２動作供給値の第２電源が供給されている。
【００１８】
そして、主電源が完全にオフになると、第１電源の電圧、第２電源の電圧は共に降下する。図２では、第１電源の電圧が降下開始するタイミングを第１降下タイミングと示し、第２電源の電圧が降下開始するタイミングを第２降下タイミングと示す。
【００１９】
また、図２に示すように、主電源がオフにされると、第１制御部２０への第１電源の電圧が降下して、遅延時間経過後に、第２電源の電圧が降下する。つまり、第２降下タイミング＝第１降下タイミング＋遅延時間となる。この遅延時間は、遅延手段６の設定により決定することが出来る。
【００２０】
このように、第２電源が遅延手段６を経由しているので、第１降下タイミングと第２降下タイミングに時間差（＝遅延時間）が生じる。つまり、電源生成手段５０は、主電源から複数の電源を生成する変換分岐手段４と、主電源がオフにされたときの各電源（ここでは、第１電源、第２電源）の電圧の降下タイミングを異ならせる遅延手段６を含む。また、第１制御部２０は、主電源がオフにされたときの、降下タイミングが第１電源より遅い第２電源により動作するものである。
【００２１】
次に、図３に主電源が瞬断されたときの第１電源、第２電源の電圧値の変化について示す。主電源が瞬断されると、第１降下タイミングＥ１で第１電源の電圧は降下し、即座に再供給タイミングＥ２で第１動作供給値に戻る（第１電源が再供給される）。一方、第２電源の電圧は降下しない（第２電源の電圧値は第２動作供給値をとりつづける）。
【００２２】
図４に、本実施形態１の画像形成装置１５０の処理フローを示す。図４を用いて、画像形成装置１５０の主な処理を説明する。まず、検知手段２４が、第１電源の電圧が降下したか否かを検知する（ステップＳ２）。検知手段２４が、第１電源の電圧の降下（第１降下タイミングＥ１）を検知すると（ステップＳ２のＹｅｓ）、測定手段３４が、該第１電源の電圧の降下を検知した時（図２、図３記載の第１降下タイミング）から、時間の測定を開始する。
【００２３】
そして、測定手段３４が、第１所定時間が経過したことを測定すると（ステップＳ４のＹｅｓ）、立ち下げ手段３０は立ち下げ処理を行う（ステップＳ６）。ここで、第１所定時間とは、予め定められた時間であり、遅延時間（図２参照）よりも短いとする。また、立ち下げ処理とは、主電源が完全にオフにされた場合に備えた、画像形成装置１５０内で行なわれる処理である。立ち下げ処理とは、例えば、記憶すべきデータを記憶手段３６に退避させる処理や、第１制御部２０による、画像形成装置１５０内の全体の構成部への制御を中止する処理である。また、記憶すべきデータとは、例えば、画像形成対象のデータや、ＦＡＸ送信対象のデータなどである。
【００２４】
このように、ステップＳ４、ステップＳ６の処理を行うことで、主電源が完全にオフにされたとき、または、主電源が瞬断されたときにも関らず、必ず立ち下げ処理を行うことが出来るという効果を奏する。また、ステップＳ４、ステップＳ６の処理については行なわなくてもよい。
【００２５】
次に、検知手段２４は、第２電源の電圧が降下されたか否かを検知する（ステップＳ８）。図２に示すように、検知手段２４が、第１電源の電圧が降下して、遅延時間経過後に、第２電源の電圧が降下したと検知すれば（ステップＳ８のＹｅｓ）、第１ＣＰＵ２２は、完全に主電源がオフにされたと、判断する（ステップＳ１０）。
【００２６】
一方、検知手段２４が、図３に示すように、第２電源の電圧が降下にならないと判断した場合には（ステップＳ８のＮｏ）、ステップＳ１２に移行する。ステップＳ８でＮｏとなった場合とは、第１電源の電圧が降下したにもかかわらず、第２電源が供給され続けているということである。この場合には、主電源が瞬断された、または、電源生成手段５０の異常により第１電源の電圧が降下したということである。
【００２７】
ステップＳ１２では、検知手段２４が、前記第２電源が供給され続けている間に、第１電源が再供給された（第１電源が再び供給された）か否かを検知する。換言すれば、ステップＳ１２では、検知手段２４が、第１電源が供給されるか否かを監視する。検知手段２４が第１電源が再供給されたこと（再供給タイミングＥ２）を検知すると（ステップＳ１２のＹｅｓ）、検知手段２４は、主電源が瞬断されたと判断する（ステップＳ１６）。ここで、ステップＳ１２でＹｅｓとなる場合とは、図３に示すように、第１電源の供給が、短時間の間（瞬時的に）、遮断された場合である。従って、ステップＳ１２でＹｅｓと判断された場合には、検知手段２４は、主電源が瞬断されたと判断する。
【００２８】
主電源が瞬断されたということは、第１電源の供給が瞬時的に遮断されたということであるから、他のデバイス６０の処理が停止し、結果として、画像形成装置１５０全体が停止する場合がある。そこで、第１立ち上げ手段２６が、画像形成装置１５０の立ち上げ処理を行う（ステップＳ１８）。ここで、立ち上げ処理とは、第１電源の供給が遮断されたことで、画像形成装置を適切に動作させるために必要な処理である。立ち上げ処理とは、例えば、様々なパラメータの初期値の再設定や、画像形成装置１５０の異常点検などである。このように、第１立ち上げ手段２６が、立ち上げ処理を行うことで、画像形成装置１５０の動作が停止することを防止できるという効果を奏することができる。
【００２９】
また、主電源が、瞬断されたと判断されると、第１再実行手段２８が、主電源が瞬断された時以前に行なわれた処理を再び実行するようにしてもよい（ステップＳ１８）。これにより、主電源が瞬断された場合であっても、主電源の瞬断前に行なわれていた処理を再び行い、中断した処理を再開できるという効果を奏することが出来る。また、従来のように、全ての電源の供給が遮断されるまで待機する、という現象が生じることを防ぐことが出来る。
【００３０】
ステップＳ１８では、第１立ち上げ手段２６による立ち上げ処理、および、第１再実行手段２８による再実行処理の両方を行ってもよく、どちらか一方を行なうようにしてもよい。
【００３１】
また、主電源の瞬断前に行なわれていた処理を再実行するか否かを、ユーザに提示し、選択させるようにしてもよい。
【００３２】
一方、検知手段２４が、第１電源が再供給されないと判断すると（ステップＳ１２のＮｏ）、測定手段３４は、ステップＳ１２の処理の時から、時間の測定を開始する。そして、検知手段２４は、ステップＳ１２の処理の時から、第２所定時間経過したか否かを判断する（ステップＳ１４）。そして、第２所定時間経過しても、第１電源が再供給されない場合には（ステップＳ１４のＹｅｓ）、検知手段２４は、電源生成手段５０が故障による異常である、と判断する（ステップＳ２０）。
【００３３】
検知手段２４により、ステップＳ１２でＮｏと判断され、第２所定時間Ｔ２が経過しても第１電源が再供給されなかったということは、第２電源が供給されたにも関らず（ステップＳ８のＮｏ）、第１電源の供給は遮断されている（ステップＳ１２のＮｏ）ということである。このような場合には、主電源の瞬断ではないことから、電源生成手段５０に異常が発生していると判断する（ステップＳ２０）。
【００３４】
このステップＳ１４、ステップＳ２０の処理を行うことで、第１電源の電圧の降下の原因が、主電源のオフ（主電源の完全オフまたは主電源の瞬断）ではなく、電源生成手段５０の異常（故障）であると判断できる、という効果を奏する。ステップＳ１４、ステップＳ２０の処理は行わなくてもよい。
【００３５】
この実施形態１によれば、複数の電源のうち、主電源がオフにされたときに、降下タイミングが最も早い第１電源より、降下タイミングが遅い第２電源が供給されている第１制御部を有する画像形成装置において、適切に、主電源が瞬断されたと判断することが出来る。具体的には、第１電源の電圧の降下の検知（ステップＳ２のＹｅｓ、第１降下タイミングＥ１の検知）→第２電源の電圧が降下していないことの検知（ステップＳ８のＮｏ）→第１電源の再供給の検知（ステップＳ１２のＹｅｓ、再供給タイミングＥ２の検知）を、検知手段２４が検知することで、主電源が瞬断されたと、判断できる。
【００３６】
また、ステップＳ１８において、第１立ち上げ手段２６が、立ち上げ処理を行うことで、画像形成装置１５０の動作が停止することを防止できるという効果を奏する。
【００３７】
また、ステップＳ１８において、第１再実行手段２８は再実行することで、主電源の瞬断により中断した処理を再開できるという効果を奏する。
【００３８】
また、ステップＳ４、Ｓ６の処理を行うことで、主電源が完全にオフにされたとき、または、主電源が瞬断されたときにも関らず、必ず立ち下げ処理を行うことができるという効果を奏する。
【００３９】
また、ステップＳ１４、ステップＳ２０の処理を行うことで、第１電源の電圧の降下の原因が、主電源のオフ（主電源の完全オフまたは主電源の瞬断）ではなく、電源生成手段５０の異常（故障）であると判断できる、という効果を奏する。
［実施形態２］
次に実施形態２の画像形成装置について説明する。図５に実施形態２の画像形成装置２５０の機能構成例を示す。図１と比較して、図５は他のデバイス６０が第２制御部４０に代替されている点で異なる。また、第１制御部２０を、メイン制御部２０とすると、第２制御部４０はサブ制御部４０とする。つまり、第１制御部２０は、画像形成装置のメイン制御を行なうものであり、第２制御部４０は、画像形成装置２５０のメイン制御以外の制御であるサブ制御を行なうものである。
【００４０】
また、第２制御部４０は、第２ＣＰＵ４２と、情報生成手段４４を有する。第１電源が、第２ＣＰＵ４２に供給されることで、第２制御部４０は、画像形成装置２５０に対してサブ制御を行なう。また、情報生成手段４４は、自己（第２制御部４０）の正常又は異常を示す状態情報を生成して、検知手段２４に送信する。検知手段２４は、状態情報を受信して、該状態情報を解析することで、第２制御部４０の状態を検知することが出来る。また、第１制御部２０と第２制御部４０間では、他の情報の送受信も行なわれている。該他の情報の送受信により、画像形成装置２５０は適切に動作する。また、他の情報とは、例えば、第１制御部２０の制御による制御結果や、第２制御部４０の制御による制御結果などである。
【００４１】
情報生成手段４４が、異常を示す状態情報を生成して送信する場合というのは、（ｉ）第２制御部４０への第１電源の供給が遮断されている場合（主電源の瞬断による、第１電源の電圧の瞬時的な降下も含む）や、（ｉｉ）第２制御部４０の故障による異常である場合である。また、情報生成手段４４は、第２制御部４０が異常である場合のみ、異常を示す状態情報を生成して、検知手段２４に送信するようにしてもよい。この場合、検知手段２４は、異常を示す状態情報を受信していない期間については、第２制御部４０は正常であると検知する。
【００４２】
図６に、本実施形態２の画像形成装置２５０の主な処理フローを示す。また、図４中の処理と同じ処理については、同一のステップ番号を付しており、該同じ処理については、説明を省略する。まず、ステップＳ２でＮｏと判定されると、ステップＳ１０２に移行する。ステップＳ２でＮｏと判定される場合というのは、検知手段２４が、第１電源が第２制御部４０に供給されていると検知する場合である。そして、検知手段２４は、情報生成手段４４からの状態情報を受信して、解析することで、第２制御部４０が異常を示す状態情報を送信したか否かを検知する（ステップＳ１０２）。そして、検知手段２４による状態情報の解析結果が、第２制御部４０の異常を示すものであれば、検知手段２４は、第２制御部４０が故障による異常であると判断する（ステップＳ１０４）。この場合には、ユーザに対して、第２制御部４０が、故障による異常であることを警告する。該警告については、第２制御部４０が故障による異常が発生していることを、表示手段（図示せず）にユーザに表示する、音声でユーザに認識させる、などがある。
【００４３】
また、ステップＳ１０２でＮｏと判断されると、ステップＳ２に戻る。
【００４４】
また、ステップＳ８でＮｏと判断されると、ステップＳ１０６に移行する。ステップＳ２で第１電源の電圧が降下したと判断されていることから、ステップＳ１０６では、第２制御部４０は、第１電源の供給が遮断されている旨の異常を示す状態情報を検知手段２４に送信する。
【００４５】
そして、ステップＳ１２でＹｅｓと判定される、つまり、検知手段２４が、第１電源が再供給されたことを検知すると、ステップＳ１０８に移行する。ステップＳ１０８の処理は、ステップＳ１０２の処理と同様である。ステップＳ１０８では、検知手段２４は、第２制御部４０が異常を示す状態情報を送信した否かを判断する。検知手段２４による状態情報の解析結果が、第２制御部４０の異常を示すものであれば（ステップＳ１０８のＹｅｓ）、ステップＳ１０４に移行する。そして、ステップＳ１０４で、検知手段２４は、第２制御部４０が故障による異常であると判断する。
【００４６】
また、ステップＳ１０８でＮｏと判断された場合、つまり、第２制御部４０が異常を示す状態情報を送信しなかった場合には、検知手段２４は、主電源が瞬断されたと検知する（ステップＳ１６）。
【００４７】
ここで、検知手段２４が、主電源が瞬断されたと検知したということは、第２制御部４０のみが処理を停止する、または、第２制御部４０がリセットされるということである。第２制御部４０の処理が停止、または、第２制御部４０がリセットされると、第１制御部２０と第２制御部４０の間での情報の送受信が停止され、画像形成装置２５０の動作は停止してしまう。
【００４８】
そこで、第２立ち上げ手段３２は、第２制御部４０の立ち上げ処理を行う（ステップＳ１１０）。ここで、第２制御部４０の立ち上げ処理とは、第１電源の電圧が降下になったことで、処理が停止した、または、リセットした第２制御部４０を適切に動作させるために必要な処理である。具体的には、第２制御部４０の初期値の再設定や、第２制御部４０の異常点検などである。このように、第１立ち上げ手段２６が、立ち上げ処理を行うことで、主電源の瞬断による、第２制御部４０の処理が停止すること、または、第２制御部４０がリセットされることを防止できるという効果を奏する。
【００４９】
また、主電源が、瞬断されたと判断されると（ステップＳ１６）、第２再実行手段３８が、主電源が瞬断された時以前に行なわれた処理を再び実行するようにしてもよい（ステップＳ１１０）。これにより、第２制御部４０は、主電源が瞬断された場合であっても、主電源の瞬断前に行なわれていた処理を再び行い、中断した処理を再開できるという効果を奏する。
【００５０】
また、ステップＳ１１０では、第２立ち上げ手段３２による第２制御部４０の立ち上げ処理、および、第２再実行手段３８による第２制御部４０の再実行処理の両方を行ってもよく、どちらか一方を行なうようにしてもよい。
【００５１】
また、ステップＳ１１０では、実施形態１で説明した、第１立ち上げ手段２６による立ち上げ処理、または／および、第１再実行手段２８による再実行処理を行うようにしてもよい。
【００５２】
この実施形態２の画像形成装置によれば、メイン制御を行なう第１制御部２０、サブ制御を行なう第２制御部４０を有する画像形成装置２５０である場合に、第２制御部４０は、該第２制御部４０の状態を示す状態情報を検知手段２４に送信する。従って、検知手段２４は、第２制御部４０の状態（正常か異常）を検知することが出来る。また、検知手段２４は、第２制御部４０への第１電源の供給または第１電源の電圧の降下も検知できる。
【００５３】
また、第２制御部４０への第１電源の電圧の降下（ステップＳ２のＹｅｓ）→第２制御部４０への第２電源の供給（ステップＳ８のＮｏ）→第２制御部４０が異常を示す状態情報を送信（ステップＳ１０６）→第２電源の再供給（ステップＳ１２のＹｅｓ）→第２制御部４０が正常を示す状態情報を送信（ステップＳ１０８のＮｏ）すれば、検知手段２４は、主電源が瞬断されたと判断する。従って、メイン制御する第１制御部２０、サブ制御する第２制御部４０を有する画像形成装置であっても、適切に、主電源の瞬断を判断することが出来る。
【００５４】
また、ステップＳ１１０の処理を行うことで、第２制御部４０の処理が停止されること、または、第２制御部４０がリセットされることを防ぐことが出来、結果として、画像形成装置２５０の動作の停止を防ぐことが出来る。
【００５５】
また、ステップＳ１１０の処理を行うことで、主電源の瞬断により中断した、第２制御部４０の処理を再開できるという効果を奏する。
【００５６】
また、ステップＳ１０２の処理を行うことで、検知手段２４が、第１電源の供給を検知している間に、第２制御部４０の異常を検知すると、第２制御部４０は異常であると検知できるという効果を奏する。
【符号の説明】
【００５７】
１    主電源
２    スイッチ手段
４    変換分岐手段
６    遅延手段
２０    第１制御部
２２    第１ＣＰＵ
２４    検知手段
２６    第１立ち上げ手段
２８    第１再実行手段
３０    立ち下げ手段
３２    第２立ち上げ手段
３４    測定手段
３６    記憶手段
３８    第２再実行手段
４０    第２制御部
５０    電源生成手段
６０    他のデバイス
１５０、２５０    画像形成装置
【先行技術文献】
【特許文献】
【００５８】
【特許文献１】特開２００９−１８１１７９号公報
【図１】
0005799572.tif 000002
【図２】
0005799572.tif 000003
【図３】
0005799572.tif 000004
【図４】
0005799572.tif 000005
【図５】
0005799572.tif 000006
【図６】
0005799572.tif 000007